(57)【要約】【課題】簡易且つ迅速に安価な人工芝施工構造と人工芝施工方法を実現する。【解決の手段】本発明に係る人工芝施工構造は、非転圧状態の整地面６を表面とする下地４と、前記整地面６の直上にあり、転圧状態の舗装面２２を表面とする散水固化状態にある舗装層２１と、前記舗装面２２の直上にあり、前記舗装層２１と前記下地４の両者にＵ字ピン３７ａで固定状態にある人工芝３０から構成される。また、本発明に係る人工芝施工方法は、下地４の表面である下地面１を転圧機１６を使用しないで簡易整地を行い整地面６に仕上げる整地工程と、前記整地面６に一区画以上を有した舗装用枠体１０を配置して一区画当りに舗装材袋１３の一袋分の舗装材１４を投入し、整地面６の全面に前記舗装材１４を均一又は略均一な厚さに投入して舗装材表面１５を形成する舗装材投入工程を有し、最後に人工芝３０を敷設する人工芝敷設工程から構成される。【選択図】図１
2019132007.tif 000002
【特許請求の範囲】
【請求項１】
非転圧状態の整地面を表面とする下地と、前記整地面の直上にあり、転圧状態の舗装面を表面とする散水固化状態にある舗装層と、前記舗装面の直上にあり、前記舗装層と前記下地の両者にＵ字ピンで固定状態にある人工芝から構成されることを特徴とする人工芝施工構造。
【請求項２】
前記人工芝として少なくとも２枚の人工芝の端縁が継ぎ目を有した隣接状態に配置され、前記継ぎ目に沿って前記舗装面に接してジョイントシートが配置され、前記ジョイントシートは前記舗装層と前記下地の両者にＵ字ピンで固定状態にあり、前記２枚の人工芝の端縁の裏面と前記ジョイントシートが両面テープで相互に接着固定されている請求項１に記載の人工芝施工構造。
【請求項３】
前記継ぎ目に沿って少なくとも前記人工芝の端縁がその上側からの転圧状態にある請求項２に記載の人工芝施工構造。
【請求項４】
下地の表面である下地面を転圧機を使用しないで簡易整地を行い整地面に仕上げる整地工程と、前記整地面に一区画以上を有した舗装用枠体を配置して一区画当りに舗装材袋の一袋分の舗装材を投入し、整地面の全面に前記舗装材を均一又は略均一な厚さに投入して舗装材表面を形成する舗装材投入工程を有し、最後に人工芝を敷設する人工芝敷設工程を行うことを特徴とする人工芝施工方法。
【請求項５】
前記舗装材投入工程の後に前記舗装材表面の全面を転圧して転圧舗装材表面を有する舗装材層を形成する舗装材転圧工程と、前記舗装材は散水で固化する舗装材であり、前記転圧舗装材表面の全面に散水して前記舗装材層を固化して前記転圧舗装材表面を舗装面とした舗装層を形成する舗装材固化工程とを更に有し、前記人工芝敷設工程では前記舗装面に人工芝を敷設し、前記人工芝を前記舗装層と前記下地の両者にＵ字ピンで固定状態にする人工芝固定工程を設ける請求項４に記載の人工芝施工方法。
【請求項６】
前記人工芝敷設工程において、少なくとも２枚の人工芝の端縁を継ぎ合わせる人工芝継合工程が付設され、この人工芝継合工程では、少なくとも前記２枚の人工芝の端縁が継ぎ目を有した隣接状態に配置され、前記継ぎ目に沿って前記舗装面に接してジョイントシートが配置され、前記ジョイントシートは前記舗装層と前記下地の両者にＵ字ピンで固定状態にされ、前記２枚の人工芝の端縁の裏面と前記ジョイントシートが両面テープで相互に接着固定される請求項４又は５に記載の人工芝施工方法。
【請求項７】
前記人工芝継合工程において、少なくとも前記継ぎ目に沿って前記人工芝の端縁がその上側から転圧される請求項６に記載の人工芝施工方法。
【発明の詳細な説明】
【技術分野】
【０００１】
本発明は、家庭・会社・遊園地・施設などの広場や庭に設けられる人工芝に関し、更に詳細には、人工芝を設ける際の人工芝施工構造及び人工芝施工方法に関する。
【背景技術】
【０００２】
人工芝に関連する従来技術として、特許文献１（特開２０１５−３６４８１号公報）は「舗装体基層構造、舗装体及び舗装体の施工方法」を示す。その構造は、下地と、下地面の上に可撓性と所定の空隙率を有する多孔質構造の三次元構造体内にクレイ舗装材を充填した舗装体と、舗装体の上に人工芝を敷設して構成されている。舗装材は散水で固化するものではなく、舗装体が可撓性を有するから子供が遊んだりしたときに転倒したりする危険性がある。
【０００３】
特許文献２（特開２０００−１７８９１１号公報）は「土系舗装体およびその改修方法」を示す。その構造は、既存の土系表層材からなる表層部の上に、土壌固結性を有する有機または無機の液状物を浸透させて土系表層材と液状物の固結成分とよりなる複合層を形成し、この複合層の上に人工芝を敷設して構成されている。この複合層（舗装層に相当）は散水で固化するような簡単なものではなく、複雑な液状物からなり、家庭の庭などに簡易に適用できるものではない。
【０００４】
特許文献３（特開２００２−３４８８０７号公報）は「土質系舗装体及びその施工法」を示す。要約には、この土質系舗装体は、土質系舗装材を施工地に敷均して転圧し、散水して養生後、表面からアクリル系エマルジョンの保護剤を散布して仕上げる構成と記載されており、散水だけで固化する構成ではなく、アクリル系エマルジョンの保護剤で固化する複雑な構成である。
また、その段落［００１８］には、「既設の真砂土で締め固められた通常のグランド表面に予め設定した１００×１００×（高さ）５ｃｍの型枠内に、前記の混合土を投入して敷均し、ランマープレートで転圧した。続いて、表面から散水して、含水比１２±１％に調整した上で、自然温度下で２４時間放置養生し、その後、保護剤としてアクリル酸エステル共重合エマルジョン（固形分３５％）を水で２倍に希釈して、３．０ｋｇを土表面に均一に散布し、３日間そのままの状態で放置して実施例を作った。」と記載されている。固化するのに３日間も掛かっており、これではとても事業化することは不可能である。
確かに、１００×１００×（高さ）５ｃｍの型枠を使用しているが、大きさが一定の試験用固化体を得るために使用されているだけで、実使用されるものではない。しかも、投入される混合土は極めて複雑な組成の材料で、現場で混合土を調合しなければならず、作業が極めて複雑になる。しかも、枠体を次々に移動しながら広大な面積を舗装してゆくような簡易手続きの舗装を実現するものでもなく、とても事業化することは困難である。
【０００５】
特許文献４（特開２００８−２９７８０８号公報）は「人工芝舗装構造体およびその施工方法」である。要約には、この舗装材は加熱アスファルト混合物からなり、骨材として粒状ゴムがアスファルトに混合されてなり、砕石および石粉の混合物を２００〜２５０℃に加熱乾燥し、これに粒状ゴムを常温で混合し、アスファルトを混合して人工芝舗装構造体用組成物を得る工程と記載されている。
このような複雑な舗装体では、家庭などの庭に人工芝を短時間で施工することはできない。
【０００６】
特許文献５（特開平７−１５８０１０号公報）は「天然芝ユニット構造体および天然芝運動競技場」である。その図１には、複数個の天然芝ユニット構造体の下面で突起物を有するテープをシート基材に突き刺して連結する連結構造が記載されている。その図２には、複数個の天然芝ユニット構造体をその下面に粘着テープで連結する連結構造が記載されている。また、その段落［００２６］では、複数個の天然芝ユニット構造体の下面を両面粘着テープで固定して、さらにアスファルト−コンクリートの基盤に粘着固定する連結構造が記載されている。
特に両面テープ連結構造の場合、両面テープの片面はシート基材には接着すると考えられるが、アスファルト−コンクリートの基盤には一時的に接着しても直ぐに剥離し、連結された複数個の天然芝ユニット構造体がアスファルト−コンクリートの基盤状を右往左往することは目に見えている。更なる固定方法が必要になる。
【０００７】
特許文献６（特開平７−３２４３０４号公報）は「人工芝施設」である。開示される構造は、下地層の上にクッション層を積層し、クッション層の上に粘着層を介して人工芝層を積層した構成である。
第１に、クッション層は伸縮するため舗装体とは云えず、この上で子供が遊ぶとその弾力性で転倒する危険性がある。また、クッション層は左右上下に伸縮するから、人工芝がクッション層の動きに応じて粘着層から剥がれる危険性がある。従って、耐久性が無い弱点が存する。
【０００８】
特許文献７（特開平８−３００３０６号公報）は「人工芝用Ｕ字釘打装置」である。その図１及び図２には、Ｕ字釘つまりＵ字ピンで人工芝の周辺を打ち込んで人工芝を固定する方法が示されている。
しかし、Ｕ字ピンで人工芝を舗装層と下地にどのように固定するか、またＵ字ピンで２枚以上の人工芝の継ぎ目をどのように舗装層と下地に固定するかの具体的構成は一切記載されていないし、示唆さえされていない。
【０００９】
特許文献８（特開平９−１８９００５号公報）は「シート類を固定する打込固定具セット及びそれを使用する施工方法」である。その図１〜図８には、複数のシート類の端縁を重合してＵ字ピンで固定したり、２枚のシートを完全に同体で重合してＵ字ピンで固定したり、１枚の人工芝を多数のＵ字ピンで打込固定することが示されている。
しかし、２枚の人工芝の端縁を隣接させて舗装層に隣接連結状態でＵ字ピンで固定する方法は全く記載されておらず、示唆さえされていない。また、Ｕ字ピンと両面テープを組み合わせて使用することも一切記載されていない。
【先行技術文献】
【特許文献】
【００１０】
【特許文献１】特開２０１５−３６４８１号公報
【特許文献２】特開２０００−１７８９１１号公報
【特許文献３】特開２００２−３４８８０７号公報
【特許文献４】特開２００８−２９７８０８号公報
【特許文献５】特開平７−１５８０１０号公報
【特許文献６】特開平７−３２４３０４号公報
【特許文献７】特開平８−３００３０６号公報
【特許文献８】特開平９−１８９００５号公報
【発明の概要】
【発明が解決しようとする課題】
【００１１】
前述したように、特許文献１では、舗装材は散水で固化せず且つ舗装体が可撓性をして危ない。特許文献２では、舗装層である複合層は散水で固化せず簡易に適用できない。特許文献３では、土質系舗装体は散水だけで固化せず、アクリル系エマルジョンの保護剤の浸透が必須であり、しかも試験枠体を用いて複雑な舗装材を現場調合するため事業化には不適である。特許文献４では、加熱アスファルト混合物の舗装材であり、家庭などの庭に人工芝を短時間で施工することはできない。
【００１２】
特許文献５では、複数個の天然芝ユニット構造体の下面を両面粘着テープで直接にアスファルト−コンクリートの基盤に粘着固定するが一時接着だけで直ぐに剥離する欠点がある。特許文献６では、クッション層の上に粘着層を介して人工芝層を積層しているが、上下左右へのクッション層の伸縮で直ぐに人工芝が粘着層から剥がれ耐久性が無い。特許文献７では、Ｕ字ピンで人工芝を固定しているが、Ｕ字ピンをどこまで打ち込むか、２枚以上の人工芝の継ぎ目をＵ字ピンでどう固定するかは記載も示唆もない。特許文献８では、２枚の人工芝の端縁を隣接させて舗装層に隣接連結状態でＵ字ピン固定することは記載も示唆もされていない。
【００１３】
従って、本願発明の第１目的は、非転圧状態の整地面を表面とする下地と、整地面の直上にあり、転圧状態の舗装面を表面とする散水固化状態にある舗装層と、舗装面の直上にあり、舗装層と下地の両者にＵ字ピンで固定状態にある人工芝から構成される人工芝施工構造とその人工芝施工方法を提供することである。そして、簡易且つ迅速に安価な人工芝施工構造と人工芝施工方法が実現され、家庭用及び業務用にも人工芝施工を広範囲に普及することができる。
【００１４】
本願発明の第２目的は、人工芝として少なくとも２枚の人工芝の端縁が継ぎ目を有した隣接状態に配置され、継ぎ目に沿って舗装面に接してジョイントシートが配置され、ジョイントシートは舗装層と下地の両者にＵ字ピンで固定状態にあり、上記２枚の人工芝の端縁の裏面と前記ジョイントシートが両面テープで相互に接着固定されている人工芝施工構造及びその人工芝施工方法を提供することである。そして、広大な下地面に対しても、簡易且つ迅速に安価な人工芝施工構造と人工芝施工方法が実現され、家庭用及び業務用にも人工芝施工を広範囲に普及することができる。
【課題を解決するための手段】
【００１５】
本発明は、上記課題を解決するために提案されたものであって、本発明の第１の形態は、非転圧状態の整地面を表面とする下地と、整地面の直上にあり、転圧状態の舗装面を表面とする散水固化状態にある舗装層と、舗装面の直上にあり、舗装層と下地の両者にＵ字ピンで固定状態にある人工芝から構成される人工芝施工構造である。
【００１６】
本発明の第２の形態は、人工芝として少なくとも２枚の人工芝の端縁が継ぎ目を有した隣接状態に配置され、継ぎ目に沿って舗装面に接してジョイントシートが配置され、ジョイントシートは舗装層と下地の両者にＵ字ピンで固定状態にあり、２枚の人工芝の端縁の裏面と前記ジョイントシートが両面テープで相互に接着固定されている人工芝施工構造である。
【００１７】
本発明の第３の形態は、継ぎ目に沿って少なくとも前記人工芝の端縁がその上側からの転圧状態にある人工芝施工構造である。
【００１８】
本発明の第４の形態は、下地の表面である下地面を転圧機を使用しないで簡易整地を行い整地面に仕上げる整地工程と、整地面に一区画以上を有した舗装用枠体を配置して一区画当りに舗装材袋の一袋分の舗装材を投入し、整地面の全面に舗装材を均一又は略均一な厚さに投入して舗装材表面を形成する舗装材投入工程を有し、最後に人工芝を敷設する人工芝敷設工程を行う人工芝施工方法である。
【００１９】
本発明の第５の形態は、舗装材投入工程の後に舗装材表面の全面を転圧して転圧舗装材表面を有する舗装材層を形成する舗装材転圧工程と、舗装材は散水で固化する舗装材であり、転圧舗装材表面の全面に散水して舗装材層を固化して転圧舗装材表面を舗装面とした舗装層を形成する舗装材固化工程とを更に有し、人工芝敷設工程では舗装面に人工芝を敷設し、人工芝を舗装層と下地の両者にＵ字ピンで固定状態にする人工芝固定工程を設ける人工芝施工方法である。
【００２０】
本発明の第６の形態は、人工芝敷設工程において、少なくとも２枚の人工芝の端縁を継ぎ合わせる人工芝継合工程が付設され、この人工芝継合工程では、少なくとも２枚の人工芝の端縁が継ぎ目を有した隣接状態に配置され、継ぎ目に沿って舗装面に接してジョイントシートが配置され、ジョイントシートは舗装層と下地の両者にＵ字ピンで固定状態にされ、２枚の人工芝の端縁の裏面とジョイントシートが両面テープで相互に接着固定される人工芝施工方法である。
【００２１】
本発明の第７の形態は、人工芝継合工程において、少なくとも継ぎ目に沿って人工芝の端縁がその上側から転圧される人工芝施工方法である。
【発明の効果】
【００２２】
本発明の第１の形態によれば、非転圧状態の整地面を表面とする下地と、整地面の直上にあり、転圧状態の舗装面を表面とする散水固化状態にある舗装層と、舗装面の直上にあり、舗装層と下地の両者にＵ字ピンで固定状態にある人工芝から構成される人工芝施工構造が提供できる。
まず、下地とは表面が下地面、即ち地面である基盤地層のことであり、下地面には雑草や小石やその他の雑物が堆積している。下地面からこれらの雑草や小石や雑物が除去されており、また下地面はトンボの押し引きで極力平坦にする簡易整地が行われており、下地面は整地面に仕上げられている。しかし、下地面に対しては不陸修正（凹凸修正）用の転圧は実施されないから、整地面と云っても多少の凹凸があり、前記整地面とは雑草や小石やゴミなどは無いが多少の凹凸面であることが多い。
次に、この整地面に対して舗装が行われ、舗装面は転圧状態の舗装面であるから高度の平坦性を有しており、前記整地面には平坦化のための転圧を行う必要が無いのである。しかも非転圧状態の整地面は多少の凹凸を有しているから凹凸表面の表面積は平坦面と仮定したときの表面積よりもかなり増大し、舗装層の下面と整地面とは大面積接合で強力に結合している。整地面の凹凸の抵抗により舗装層が整地面に対し横ずれが生じず、安定した舗装層が形成され、地震動があっても舗装層は整地面に一体化して高度の安定状態が実現される。しかも、舗装材は散水だけで強力に固化する材料であり、散水固化状態の舗装層は極めて簡易に実現できる特性を有する。
更に、舗装面上に積層される人工芝は、舗装層と下地の両者にＵ字ピンで固定状態にあるから、人工芝は舗装面に対し横ずれすることが無い。しかも地震動が生じても、Ｕ字ピンは下地に食い込んでいるから、地震動があっても人工芝は横ずれせず、捲れ上がることもない。
【００２３】
本発明の第２の形態によれば、人工芝として少なくとも２枚の人工芝の端縁が継ぎ目を有した隣接状態に配置され、継ぎ目に沿って舗装面に接してジョイントシートが配置され、ジョイントシートは舗装層と下地の両者にＵ字ピンで固定状態にあり、２枚の人工芝の端縁の裏面と前記ジョイントシートが両面テープで相互に接着固定されている人工芝施工構造が提供できる。
本形態では、舗装面の面積が大面積であるときに、１枚の人工芝だけで敷設できず少なくとも２枚の人工芝を必要とする場合に、２枚の人工芝を隣接状態に配置して継ぎ目に沿って継合固定する構造が示されている。
まず、継ぎ目に沿って舗装面に接してジョイントシートが配置され、ジョイントシートは舗装層と下地の両者にＵ字ピンで固定状態にあるから、ジョイントシートは強力に舗装層及び下地に対し固定され、地震動があってもジョイントシートの剥離や位置ずれを生じることは皆無である。
次に、２枚の人工芝の端縁の裏面と前記ジョイントシートが両面テープで相互に接着固定されているから、人工芝はジョイントシートに対し強力に接着固定される。人工芝の端縁の裏面も、ジョイントシートの表面も清浄な平坦面を有するから、両面テープによる接着接合の強度は極めて高く、人工芝の上で多数の人達が歩行しても、地震動があっても、人工芝は安定して固定されているために人工芝の位置ずれや移動や剥離は生じない。
【００２４】
本発明の第３の形態によれば、継ぎ目に沿って少なくとも前記人工芝の端縁がその上側からの転圧状態にある人工芝施工構造が提供できる。
両面テープとジョイントシートの厚さは薄いから、継ぎ目位置での人工芝の端縁が他の面よりも盛り上がることは殆どない。仮に多少の盛り上がりがあったとしても、本形態により、継ぎ目に沿って少なくとも前記人工芝の端縁をその上側からの転圧しておけば、両面テープによる接着接合を確実完全にするだけでなく、前記盛り上がりを平坦化して目立たなくすることが可能になる。本形態の左右両端縁の転圧状態を実現することにより、人工芝表面の平坦性を保証でき、秀麗な人工芝施工構造を実現することができる。
【００２５】
本発明の第４の形態によれば、下地の表面である下地面を転圧機を使用しないで簡易整地を行い整地面に仕上げる整地工程と、整地面に一区画以上を有した舗装用枠体を配置して一区画当りに舗装材袋の一袋分の舗装材を投入し、整地面の全面に舗装材を均一又は略均一な厚さに投入して舗装材表面を形成する舗装材投入工程を有し、最後に人工芝を敷設する人工芝敷設工程を行う人工芝施工方法が提供できる。
まず、本形態では、第１工程として、下地の表面である下地面を転圧機を使用しないで簡易整地を行い整地面に仕上げる整地工程が行われる。
ここで下地とは表面が下地面、即ち地面である基盤地層のことであり、下地面には雑草や小石やその他の雑物が堆積している。下地面からこれらの雑草や小石や雑物を除去し、また下地面をトンボの押し引きで極力平坦な整地面に仕上げる簡易整地を行う。しかし、下地面に対しては不陸修正（凹凸修正）用の転圧を実施しないから、整地面と云っても多少の凹凸があり、前記整地面とは雑草や小石やゴミなどは無いが多少の凹凸面であることが多い。後述するように、転圧しないことによる整地面の凹凸性は、上面にある舗装層との結合力を強化する効果を生じる。
次に、第２工程として、整地面に一区画以上を有した舗装用枠体を配置して一区画当りに舗装材袋の一袋分の舗装材を投入し、整地面の全面に舗装材を均一又は略均一な厚さに投入して舗装材表面を形成する舗装材投入工程が行われる。
舗装用枠体は一区画を有するだけでもよいし、２区画以上有してもよいし、更に多区画有してもよく、整地面の面積に対応して種々の舗装用枠体を使用できる。一区画の形状は、矩形区画でも正方形区画でもよく、また整地面の形状に応じて三角区画などでもよい。基本的には正方形区画を使用する。舗装用枠体が運搬時に変形することもあり、舗装用枠体に変形防止用の枠体補強部を付加する。例えば正方形区画では十字線状の枠体補強部を付加して変形を予防できる。
重要なことは、一区画当りに舗装材袋の一袋分の舗装材を投入し、例えば舗装用枠体が４区画を有しておれば、各区画に一袋投入するから合計で４袋投入することになる。一区画面積と舗装材袋の一袋分量を一対一で事前に設定しておけばよい。
そして、舗装用枠体を順次平行移動しながら整地面の全面に均一又は略均一な厚さに舗装材を投入して舗装材表面を形成する。投入された舗装材はトンボ等で平坦化され、舗装材層の厚さは一袋中の舗装材の分量に依存することは云うまでもない。
勿論、最終的には人工芝を敷設する人工芝敷設工程を行うのであり、人工芝施工方法が完了する。
【００２６】
本発明の第５の形態によれば、舗装材投入工程の後に舗装材表面の全面を転圧して転圧舗装材表面を有する舗装材層を形成する舗装材転圧工程と、舗装材は散水で固化する舗装材であり、転圧舗装材表面の全面に散水して舗装材層を固化して転圧舗装材表面を舗装面とした舗装層を形成する舗装材固化工程とを更に有し、人工芝敷設工程では舗装面に人工芝を敷設し、人工芝を舗装層と下地の両者にＵ字ピンで固定状態にする人工芝固定工程を設ける人工芝施工方法を提供することができる。
本形態の舗装材転圧工程と舗装材固化工程は、前述した第４形態の舗装材投入工程の直後に実施される。
まず、第３工程として、舗装材投入工程の後に舗装材表面の全面を転圧して転圧舗装材表面を有する舗装材層を形成する舗装材転圧工程が実施される。第２工程完了後の舗装材表面はトンボ等で均一化若しくは略均一化しただけであるから、舗装材層は緻密化されておらず、舗装材表面の平坦性も十分ではない。そこで、転圧用ローラーや転圧用振動板などの転圧機、特に簡易には転圧用ローラーを押し引きして、舗装材表面の全面を転圧する。その結果、舗装材層は緻密化し、舗装材表面は極めて緻密化した平坦面である転圧舗装材表面に変化する。
次に、第４工程として、本発明で使用される舗装材は散水で固化する舗装材であり、転圧舗装材表面の全面に散水して舗装材層を固化して転圧舗装材表面を舗装面とした舗装層を形成する舗装材固化工程が実施される。本発明の舗装材は散水だけで固化する散水固化性の舗装材であり、舗装材層に散水して浸透させるだけで固化反応を生じ、早期に固化反応が完了する舗装材である。従って、固化反応が安全で簡易であり、固化手順に熟練度を必要としない利点を有する。
更に、第４形態で説明した人工芝敷設工程では、舗装面に人工芝を敷設し、人工芝を舗装層と下地の両者にＵ字ピンで固定状態にする人工芝固定工程を設ける人工芝施工方法が実現される。人工芝を単に舗装面に敷設しただけでは人工芝がずれたり捲れたりして移動するから、人工芝の安定した固定性を実現するために、Ｕ字ピンで人工芝を舗装層と下地の両者にまで打ち込んで固定状態にする人工芝固定工程が実施される。しかも地震動が生じても、Ｕ字ピンは下地に食い込んでいるから、地震動があっても人工芝は横ずれせず、捲れ上がることもない。
【００２７】
本発明の第６の形態によれば、人工芝敷設工程において、少なくとも２枚の人工芝の端縁を継ぎ合わせる人工芝継合工程が付設され、この人工芝継合工程では、少なくとも２枚の人工芝の端縁が継ぎ目を有した隣接状態に配置され、継ぎ目に沿って舗装面に接してジョイントシートが配置され、ジョイントシートは舗装層と下地の両者にＵ字ピンで固定状態にされ、２枚の人工芝の端縁の裏面とジョイントシートが両面テープで相互に接着固定される人工芝施工方法を提供することができる。
本形態では、舗装面の面積が大面積であるときに、１枚の人工芝だけで敷設できず少なくとも２枚の人工芝を必要とする場合に、２枚の人工芝を隣接状態に配置して継ぎ目に沿って継合固定する人工芝継合工程が付設されている。
まず、継ぎ目に沿って舗装面に接してジョイントシートを配置し、ジョイントシートは舗装層と下地の両者にＵ字ピンで固定するから、ジョイントシートは強力に舗装層及び下地に対し固定され、地震動があってもジョイントシートの剥離や位置ずれを生じることは皆無である。
次に、２枚の人工芝の端縁の裏面と前記ジョイントシートを両面テープで相互に接着固定するから、人工芝はジョイントシートに対し強力に接着固定される。人工芝の端縁の裏面も、ジョイントシートの表面も清浄な平坦面を有するから、両面テープによる接着接合の強度は極めて高く、人工芝の上で多数の人達が歩行しても、地震動があっても、人工芝は安定して固定されているために人工芝の位置ずれや移動や剥離は生じない。
【００２８】
本発明の第７の形態によれば、人工芝継合工程において、少なくとも継ぎ目に沿って人工芝の端縁がその上側から転圧される人工芝施工方法が提供できる。
両面テープとジョイントシートの厚さは薄いから、継ぎ目位置での人工芝の端縁が他の面よりも盛り上がることは殆どない。仮に多少の盛り上がりがあったとしても、本形態により、継ぎ目に沿って少なくとも前記人工芝の端縁をその上側から転圧するので、両面テープによる接着接合を確実完全にするだけでなく、前記盛り上がりを平坦化して目立たなくすることが可能になる。２枚の人工芝の左右両端縁を転圧することによって、人工芝表面の平坦性を保証でき、秀麗な人工芝施工方法を実現することができる。
【図面の簡単な説明】
【００２９】
【図１】図１は、本発明に係る人工芝施工構造の実施形態を示した概略断面図である。
【図２】図２は、本発明に係る人工芝施工方法の施工手順を示した施工手順図である。
【図３】図３は、本発明に係る人工芝施工方法の中で施工現場確認工程Ａを示した施工現場確認工程図である。
【図４】図４は、本発明に係る人工芝施工方法の中で整地工程Ｂを示した整地工程図である。
【図５】図５は、本発明に係る人工芝施工方法の中で整地工程Ｂを図示した整地概略図である。
【図６】図６は、本発明に係る人工芝施工方法の中で整地工程Ｂを写した整地写真図である。
【図７】図７は、本発明に係る人工芝施工方法の中で舗装工程Ｃを示した舗装工程図である。
【図８】図８は、本発明に係る人工芝施工方法の舗装工程Ｃの中で舗装用枠体１０の一区画１２の中に舗装材袋１３の一袋を投入する一区画一袋対応関係図である。
【図９】図９は、本発明に係る人工芝施工方法の中で舗装工程Ｃを図示した舗装概略図である。
【図１０】図１０は、本発明に係る人工芝施工方法の中で舗装工程Ｃを写した舗装写真図である。
【図１１】図１１は、本発明に係る人工芝施工方法の中で人工芝敷設工程Ｄを示した人工芝敷設工程図である。
【図１２】図１２は、本発明に係る人工芝施工方法の中で人工芝敷設工程Ｄの前段を図示した人工芝敷設工程前段図である。
【図１３】図１３は、本発明に係る人工芝施工方法の中で人工芝敷設工程Ｄの後段を図示した人工芝敷設工程後段図である。
【図１４】図１４は、本発明に係る人工芝施工方法の中で人工芝敷設工程Ｄを写した人工芝敷設写真図である。
【図１５】図１５は、本発明に係る人工芝施工方法の中で最終チェック工程Ｅを示した最終チェック工程図である。
【図１６】図１６は、本発明に係る人工芝施工方法の中で最終チェック工程Ｅを写した最終チェック写真図である。
【発明を実施するための形態】
【００３０】
以下に、本発明に係る人工芝施工構造及び人工芝施工方法の実施形態を図面に従って詳細に説明する。
【００３１】
図１は、本発明に係る人工芝施工構造の実施形態を示した概略断面図である。
本発明に係る人工芝施工構造は、非転圧状態の整地面６を表面とする下地４と、整地面６の直上にあり、転圧状態の舗装面２２を表面とする散水固化状態にある舗装層２１と、舗装面２２の直上にあり、舗装層２１と下地４の両者にＵ字ピン３７ａで固定状態にある人工芝３０から構成されている。
ここで、下地４とは表面が下地面１、即ち地面である基盤地層のことであり、下地面１には雑草や小石やその他の雑物が堆積している。下地面１からこれらの雑草や小石や雑物が除去されており、また下地面１はトンボ５の押し引きで極力平坦にする簡易整地が行われており、下地面１は整地面６に仕上げられている。しかし、下地面１に対しては不陸修正（凹凸修正）用の転圧は実施されないから、整地面６と云っても図示の如く多少の凹凸があり、前記整地面６とは雑草や小石やゴミなどは無いが多少の凹凸面であることが多い。
【００３２】
次に、この整地面６に対して舗装が行われ、舗装面２２は転圧状態の舗装面２２であるから高度の平坦性を有しており、前記整地面６には平坦化のための転圧を行う必要が無いのである。しかも非転圧状態の整地面６は多少の凹凸を有しているから凹凸表面の表面積は平坦面と仮定したときの表面積よりもかなり増大し、舗装層２１の下面と整地面６とは大面積接合で強力に結合している。整地面６の凹凸の抵抗により舗装層２１が整地面６に対し横ずれが生じず、安定した舗装層２１が形成され、地震動があっても舗装層２１は整地面６に一体化して高度の安定状態が実現される。しかも、舗装材は散水だけで強力に固化する材料であり、散水固化状態の舗装層２１は極めて簡易に実現できる特性を有する。
更に、舗装面２２上に積層される人工芝３０は基布３１とこれに植毛された多数の芝３２からなる。人工芝３０は、舗装層２１と下地４の両者にＵ字ピン３７ａ、３７ａで固定状態にあるから、人工芝３０は舗装面２２に対し横ずれすることが無い。しかも地震動が生じても、Ｕ字ピン３７ａは下地４に食い込んでいるから、地震動があっても人工芝３０は横ずれせず、捲れ上がることもない。
【００３３】
図１の人工芝施工構造では、人工芝として少なくとも２枚の人工芝３０、３０の端縁３４、３４が継ぎ目３３を有した隣接状態に配置され、継ぎ目３３に沿って舗装面２２に接してジョイントシート３６が配置され、ジョイントシート３６は舗装層２１と下地４の両者にＵ字ピン３７、３７固定状態にあり、２枚の人工芝３０、３０端縁３４、３４の裏面と前記ジョイントシート３６が両面テープ３５で相互に接着固定されている。
舗装面２２の面積が大面積であるときに、１枚の人工芝３０だけで敷設できず少なくとも２枚の人工芝３０、３０を必要とする場合に、２枚の人工芝３０、３０を隣接状態に配置して継ぎ目３３に沿って継合固定された構造を有する。
上記人工芝施工構造を実現する手順は次の通りである。まず、継ぎ目３３に沿って舗装面２２に接してジョイントシート３６が配置され、ジョイントシート３６は舗装層２１と下地４の両者にＵ字ピン３７、３７で固定状態にあるから、ジョイントシート３６は強力に舗装層２１及び下地４に対し固定され、地震動があってもジョイントシート３６の剥離や位置ずれを生じることは皆無である。
次に、２枚の人工芝３０、３０の端縁３４、３４の裏面と前記ジョイントシート３６が両面テープ３５で相互に接着固定され、人工芝３０，３０はジョイントシート３６に対し強力に接着固定される。人工芝３０、３０の端縁３４、３４の裏面も、ジョイントシート３６の表面も清浄な平坦面を有するから、両面テープ３５による接着接合の強度は極めて高く、人工芝３０、３０の上で多数の人達が歩行しても、地震動があっても、人工芝は安定して固定されているために人工芝３０の位置ずれや移動や剥離は生じない。
【００３４】
更に、本発明に係る人工芝施工構造では、継ぎ目３３に沿って少なくとも前記人工芝３０、３０の端縁３４、３４がその上側から転圧機１６により転圧された転圧状態にある人工芝施工構造が実現できる。
両面テープ３５とジョイントシート３６の厚さは薄いから、継ぎ目３３の位置での人工芝３０、３０の端縁３４、３４が他の面よりも盛り上がることは殆どない。仮に多少の盛り上がりがあったとしても、継ぎ目３３に沿って少なくとも前記人工芝３０、３０の端縁３４、３４をその上側からの転圧しておけば、両面テープ３５による接着接合を確実完全にするだけでなく、前記盛り上がりを平坦化して目立たなくすることが可能になる。
図１では、転圧によってジョイントシート３６と両面テープ３５が載った舗装面２２を少しだけ陥没させた状態に描いているが、ジョイントシート３６と両面テープ３５は殆ど厚さを有さないから、実際には舗装面２２が陥没しないで人工芝３０、３０の一平面状態での平坦性が実現できる。このように、左右両端縁３４、３４の転圧状態を実現することにより、人工芝表面の平坦性を保証でき、秀麗な人工芝施工構造を実現することができる。
【００３５】
図２は、本発明に係る人工芝施工方法の施工手順を示した施工手順図である。図示されるように、本発明に係る人工芝施工方法の施工手順は、第１工程として施工現場の確認工程Ａ、第２工程として下地面の整地工程Ｂ、第３工程として整地面の舗装工程Ｃ、第４工程として舗装面の人工芝敷設工程、第５工程として最終チェック工程から構成される。
【００３６】
図３は、本発明に係る人工芝施工方法の中で施工現場確認工程Ａを示した施工現場確認工程図である。
この施工現場確認工程Ａでは、まず施工現場の確認Ａ１が行われ、次に下地面の面積の確認と不陸状態の確認Ａ２が実施される。施工現場の確認Ａ１では、実際に家庭用・業務用を問わず、施工すべき施工現場を確認する。そして下地面の面積の確認と不陸状態の確認Ａ２が実施される。下地面の面積の確認では、その面積の測定により舗装用枠体の一区画面積の何倍かが決定でき、舗装材袋を何個用意するかが決定される。また、下地面の不陸状態の確認では、下地面にある雑草や小石や雑物の除去を検討し、トンボ等による簡易整地を予想する。そして、実際の施工手順を具体化しておく必要がある。
【００３７】
図４は、本発明に係る人工芝施工方法の中でも特に整地工程Ｂを示した整地工程図である。
工程Ｂ１では、下地面の雑草と小石と雑物の除去が行われる。工程Ｂ２では、下地面をトンボ等で簡易整地し、不要な置物などを他所に移動して処理すべき下地面を全て露出させる。下地面には転圧は一切行わないから、下地面に多少の凹凸があっても問題はない。逆に、この凹凸がその上に積層される舗装層の底面と相互に食い込み合うことによって、下地面に対する舗装層の結合強度が高まり、地震動があっても舗装層のずれや剥離が生じない利点を生起する。工程３では、下地面の全面を整地面にしたかどうかが確認され、確認できれば整地工程は完了する。
【００３８】
図５は、本発明に係る人工芝施工方法の中でも特に整地工程Ｂを図示して理解し易くした整地概略図である。
（５Ａ）では、下地４の表面である下地面１には小石２や雑草３が存在する。これらの小石２や雑草３等が手作業で除去される。（５Ｂ）では、下地面１をトンボ５で簡易整地し、大きな凹凸は極力トンボ５で平坦化されて簡易整地され、（５Ｃ）では多少の凹凸が残存する整地面６に整地される。
【００３９】
図６は、本発明に係る人工芝施工方法の中で整地工程Ｂの一部を写真撮影した整地写真図である。
作業者がトンボ５を使用して下地面１を簡易整地しており、その結果、下地面１が整地面６に変化し、小石２や雑草３も無く、不要な置物も移動されて、舗装の直前段階が実現されている。
【００４０】
図７は、本発明に係る人工芝施工方法の中でも特に舗装工程Ｃのフローを示した舗装工程図である。
工程Ｃ１では、整地面に一区画以上を有した舗装用枠体を配置する。工程Ｃ２では、舗装用枠体の一区画当りに舗装材袋の一袋分の舗装材を投入する。工程Ｃ３では、舗装用枠体に投入された舗装材の舗装材表面の全面をトンボ等で略一定厚に均して均一化する。そして、工程Ｃ４では、整地面の全面において舗装材表面の均一化が完了したかどうかが判断される。未だ全面が完了していない場合（Ｎ）には、工程５で舗装用枠体を移動して、工程Ｃ１〜工程Ｃ４を行い、全面を処理しきるまで反復して全面処理を行う。
工程Ｃ４で全面処理が完了したと判断した場合（Ｙ）には、工程Ｃ６で舗装材表面の全面に対し転圧用ローラー等の転圧機により転圧を行い、舗装材層の全体を緻密化して転圧舗装材層に変化させる。従って、舗装材表面も緻密化した転圧舗装材表面に変化する。そして、工程Ｃ７により、転圧舗装材表面の全面に散水して転圧舗装材層の全体を固化させる。その結果、工程Ｃ８の固化完了により、転圧舗装材層は舗装層２１になり、転圧舗装材表面は舗装面になる、
【００４１】
図８は、本発明に係る人工芝施工方法の舗装工程Ｃの中で舗装用枠体１０の一区画１２の中に舗装材袋１３の一袋を投入する一区画一袋対応関係図である。
（８Ａ）では、区画１２を一つだけ有した略正方形の舗装用枠体１０が図示されている。この舗装用枠体１０を周辺部材だけで形成すると、対角線の回りに変形する性質を有するから、十字状の枠体補強部１１を付設してその変形を予防している。区画１２が一個であるから、舗装材１４を封入した舗装材袋１３は一袋分だけ必要になる。
（８Ｂ）では、区画１２を二つだけ直列配置した長方形の舗装用枠体１０が図示されている。２個の区画１２、１２の夫々に枠体補強部１１が形成され、舗装用枠体１０と２個の区画１２、１２の変形を予防している。２個の区画１２、１２の夫々に、舗装材１４を封入した舗装材袋１３が必要になり、２個の舗装材袋１３、１３が配置されている。
（８Ｃ）では、４個の区画１２、１２、１２、１２を正方形状に行列配置した舗装用枠体１０が図示されている。４個の区画１２、１２、１２、１２には枠体補強部１１が形成されていない。大きな正方形の中に大きな十字が形成された形になるため、その大きな十字が結果的に枠体補強部になっている。４個の区画１２、１２、１２、１２の夫々に、舗装材１４を封入した舗装材袋１３が必要になり、４個の舗装材袋１３、１３、１３、１３が配置されている。
以上から分かるように、本発明では、舗装材袋１３を一袋だけ用意すれば、一袋分の舗装材１３の分量が一個の区画１２に投入されることにより、適切な厚みの固化した舗装層２１が形成されることになる。人工芝が敷設されるべき下地面の面積を正確に測定するだけで、下地面の面積／一区画の面積＝舗装材袋の個数により舗装材の分量が自動的に導出され、その個数の舗装材袋を施工現場へ搬入して施工すればよいだけで、極めて簡単明瞭である。
【００４２】
図９は、本発明に係る人工芝施工方法の中でも特に舗装工程Ｃの詳細を図示した舗装概略図である。
（９Ａ）では、整地面６に２個の区画１２、１２を有した舗装用枠体１０が配置されている。２個の区画１２、１２に対応して２個の舗装材袋１３，１３が配置されている。
（９Ｂ）では、舗装用枠体１０の１個の区画１２当りに舗装材袋１３の一袋分の舗装材１４が投入され、実際には２個の区画１２、１２の全体には舗装材袋１３の二袋分の舗装材１４が投入されることになる。整地面６が広い場合には、舗装用枠体１０を次々に移動しながら投入作業が繰り返される。そして、舗装用枠体１０に投入された舗装材１４の舗装材表面１５の全面をトンボ５等で略一定厚に均して均一化して整地面６の全面に舗装材層１４ａが形成される。均一化後に、舗装用枠体１０が舗装材表面１５から除去される。
（９Ｃ）では、転圧用ローラー等の転圧機１６により、舗装材表面１５の全面が転圧されて緻密化される。この転圧により、舗装材層１４ａは緻密化した転圧舗装材層２０になり、舗装材表面１５も緻密化した転圧舗装材表面１７に変化する。その結果、整地面６の全面に転圧舗装材層２０が積層形成される。
（９Ｄ）では、散水器１８により転圧舗装材表面１７の全面が散水される。この散水により転圧舗装材層２０の全体が固化される。
（９Ｅ）では、所定の固化時間を経て、転圧舗装材層２０の全体が緻密状態のまま固化されて舗装層２１が形成され、表面である転圧舗装材表面１７も緻密に固化した平坦な平面性の高い舗装面２２に変化する。
【００４３】
図１０は、本発明に係る人工芝施工方法の中でも特に舗装工程Ｃを写真撮影した舗装写真図である。
（１０Ａ）では、左側の１個の区画１２に舗装材袋１３の一袋分の舗装材１４が投入されてトンボ５で平坦化が施されている。その後、１個の区画１２だけを有した舗装用枠体１０を左側から除去して右側に移動し、その１個の区画１２に舗装材袋１３の一袋分の舗装材１４が投入されてトンボ５で平坦化処理が施されている。舗装用枠体１０には十字の枠体補強部１１が敷設されており、舗装材１４の中に埋設された状態が示されている。
（１０Ｂ）では、舗装材表面１５に対し転圧用ローラーからなる転圧機１６により転圧処理が施されている。この転圧処理により、舗装材表面１５の全面が転圧されて緻密化された転圧舗装材表面１７に変化し、整地面６の全面に転圧舗装材層２０が積層形成される。
（１０Ｃ）では、散水固化後の緻密で高度に平坦化された舗装面２２が形成される。具体的には、散水器１８により転圧舗装材表面１７の全面が散水される。この散水により転圧舗装材層２０の全体が固化される。転圧舗装材層２０の全体が緻密状態のまま固化されて舗装層２１が形成され、表面である転圧舗装材表面１７も緻密に固化した平坦な平面性の高い舗装面２２に変化する。
【００４４】
図１１は、本発明に係る人工芝施工方法の中で人工芝敷設工程Ｄを示した人工芝敷設工程図である。
工程Ｄ１では、舗装面の全面を被覆するように、一枚以上の人工芝を裏面からカットして敷設用の人工芝を作成する。
工程Ｄ２では、上記工程Ｄ１でカットされた一枚以上の人工芝を舗装面に実際に敷設して、サイズなどを最終的に調整する。
工程Ｄ３では、敷設された人工芝の少なくとも周辺をＵ字ピンで打込み、Ｕ字ピンが舗装層を貫通して下地の地中にまで打ち込まれることによって、人工芝を移動不能になるように完全に固定する。
工程Ｄ４では、二枚以上の人工芝を隣接して継ぐときの継合工程の詳細が記載されている。（１）では、二枚の人工芝を隣接状に突き合わせて継ぎ目を確定し、継ぎ目に沿って舗装面にジョイントシートを載置し、このジョイントシートに対しＵ字ピンを打ち込み、Ｕ字ピンを舗装面と下地の地中に到達させる。(２)隣接する二枚の人工芝の端縁の裏面を両面テープの一面に接着させる。（３）両面テープの他面をジョイントシートに接着して人工芝を接着固定する。（４）接着した後に、人工芝の上から継ぎ目を転圧して、継ぎ目の盛り上がりを平坦化させる。
上記した人工芝敷設工程では、舗装面に人工芝を敷設し、人工芝を舗装層と下地の両者にＵ字ピンで固定状態にする人工芝固定工程が説明されている。人工芝を単に舗装面に敷設しただけでは人工芝がずれたり捲れたりして移動するから、人工芝の安定した固定性を実現するために、Ｕ字ピンで人工芝を舗装層と下地の両者にまで打ち込んで固定状態にする。しかも、地震動が生じても、Ｕ字ピンは下地に食い込んでいるから、地震動があっても人工芝は横ずれせず、捲れ上がることもない。
【００４５】
図１２は、本発明に係る人工芝施工方法の中で人工芝敷設工程Ｄの前段を図示した人工芝敷設工程前段図である。この人工芝敷設工程前段図は、少なくとも２枚の人工芝の端縁を継ぎ合わせる人工芝継合工程を示している。即ち、舗装面の面積が大面積であるときに、１枚の人工芝だけで敷設できず少なくとも２枚の人工芝を必要とする場合に、２枚の人工芝を隣接状態に配置して継ぎ目に沿って継合固定する人工芝継合工程が行われる。
（１２Ａ）では、２枚の人工芝３０、３０の端縁３４、３４が継ぎ目３３を有した隣接状態に配置される。ここで、人工芝３０は基布３１に多数の芝３２が植毛されてシートである。他方、下地４の表面である整地面６は転圧されていないから多少の凹凸が存在する。この整地面６に固化した舗装層２１が形成されており、その表面である舗装面２２は転圧されているために高度の平面性、即ち平坦性を有している。整地面６の凹凸は舗装層２１の下面に食い込んでいるから、舗装層２１は地震動があっても整地面に対し強固な不動状態が実現されている。
（１２Ｂ）では、まず人工芝３０、３０はＵ字ピン３７ａ、３７ａにより舗装層２１及び下地４にまで打込固定されている。継ぎ目３３に沿って舗装面２２に接してジョイントシート３６を載置し、ジョイントシート３６は舗装層２１と下地４の両者にＵ字ピン３７、３７で打込固定される。従って、ジョイントシート３６は強力に舗装層２１及び下地４に対し固定され、地震動があってもジョイントシート３６の剥離や位置ずれを生じることは皆無である。次に、継ぎ目３３に沿う方向にジョイントシート３６の上面に両面テープ３５が貼着される。
（１２Ｃ）では、まず人工芝３０、３０はＵ字ピン３７ａ、３７ａにより舗装層２１及び下地４にまで打込固定されている。そして、人工芝３０、３０の端縁３４、３４の裏面を両面テープ３５に上から押し付けて貼着させる。従って、２枚の人工芝３０、３０の端縁３４、３４の裏面とジョイントシート３６が両面テープ３５で相互に接着固定されるから、人工芝３０、３０はジョイントシート３６に対し強力に接着固定される。人工芝３０、３０の端縁３４、３４の裏面も、ジョイントシート３６の表面も清浄な平坦面を有するから、両面テープ３５による接着接合の強度は極めて高く、人工芝３０の上で多数の人達が歩行しても、地震動があっても、人工芝３０は安定して固定されているために人工芝３０の位置ずれや移動や剥離は生じない。
【００４６】
図１３は、本発明に係る人工芝施工方法の中で人工芝敷設工程Ｄの後段を図示した人工芝敷設工程後段図であり、継合されてやや盛り上がった人工芝の端縁を上から転圧して平坦化する継ぎ目転圧工程を示している。
両面テープ３５とジョイントシート３６の厚さは薄いから、継ぎ目３３位置での人工芝３０、３０の端縁３４、３４が他の面よりも盛り上がることは殆どない。仮に多少の盛り上がりがあったとしても、本継ぎ目転圧工程により、継ぎ目３３に沿って少なくとも人工芝３０、３０の端縁３４、３４をその上側から転圧するので、両面テープ３５による接着接合を確実完全にするだけでなく、盛り上がりを平坦化して目立たなくすることが可能になる。
（１３Ａ）では、継ぎ目３３の上側から転圧用ローラー等の転圧機１６により人工芝３０、３０の端縁３４、３４が転圧される。
（１３Ｂ）では、上記転圧により、両面テープ３５とジョイントシート３６が舗装面２２に押圧されてやや陥没したように図示され、人工芝３０、３０が完全に平坦化されている。
実際には、両面テープ３５とジョイントシート３６の厚さは薄いから、継ぎ目３３位置での人工芝３０、３０の端縁３４、３４が他の面よりも盛り上がることは殆どない。仮に多少の盛り上がりがあったとしても、この継ぎ目転圧工程により、継ぎ目３３に沿って少なくとも人工芝３０、３０の端縁３４、３４をその上側から転圧するだけであり、両面テープ３５による接着接合を確実完全にするだけでなく、微小な前記盛り上がりを平坦化して目立たなくすることが可能になる。２枚の人工芝３０、３０の左右両端縁を転圧することによって、人工芝表面の平坦性を保証でき、秀麗な人工芝施工方法を実現することができる。
【００４７】
図１４は、本発明に係る人工芝施工方法の中で人工芝敷設工程Ｄを写した人工芝敷設写真図である。
（１４Ａ）では、作業者が人工芝３０に対しＵ字ピン３７ａを打ち込んで、人工芝３０を舗装層２１及び下地４に打込固定している。
（１４Ｂ）では、２枚の人工芝３０、３０の端縁３４、３４を開いてジョイントシート３６に対し接着固定している。
（１４Ｃ）では、２枚の人工芝３０、３０の継ぎ目３３を転圧用ローラー等の転圧機１６で転圧し、継ぎ目３３の領域の平坦化処理を行っている。
（１４Ｄ）では、平坦化処理を終了して人工芝敷設工程が完了した人工芝３０が示されている。
【００４８】
図１５は、本発明に係る人工芝施工方法の中で最終チェック工程Ｅを示した最終チェック工程図である。
工程Ｅ１では、人工芝表面の芝くずの掃除が行われる。そして、工程Ｅ２では、散水により人工芝表面の塵を洗い流す水洗処理が行われる。
【００４９】
図１６は、本発明に係る人工芝施工方法の中で最終チェック工程Ｅを写した最終チェック写真図である。
作業者が人工芝３０に対し散水処理を行っている。これで人工芝施工方法の完了である。
【００５０】
本発明は、上記実施形態に限定されるものではなく、本発明の技術的思想を逸脱しない範囲における種々変形例、設計変更、別実施形態などをその技術的範囲内に包含するものであることは云うまでもない。
【産業上の利用可能性】
【００５１】
本発明に係る人工芝施工構造とその人工芝施工方法により、非転圧状態の整地面を表面とする下地と、整地面の直上にあり、転圧状態の舗装面を表面とする散水固化状態にある舗装層と、舗装面の直上にあり、舗装層と下地の両者にＵ字ピンで固定状態にある人工芝が完成され、簡易且つ迅速に安価な人工芝施工構造と人工芝施工方法が実現され、家庭用及び業務用にも人工芝施工を広範囲に普及することができる。
また、本発明に係る人工芝施工構造とその人工芝施工方法により、人工芝として少なくとも２枚の人工芝の端縁が継ぎ目を有した隣接状態に配置され、継ぎ目に沿って舗装面に接してジョイントシートが配置され、ジョイントシートは舗装層と下地の両者にＵ字ピンで固定状態にあり、上記２枚の人工芝の端縁の裏面と前記ジョイントシートが両面テープで相互に接着固定されるから、広大な下地面に対しても、簡易且つ迅速に安価な人工芝施工構造と人工芝施工方法が実現され、家庭用及び業務用にも人工芝施工を広範囲に普及することができる。
【符号の説明】
【００５２】
１          下地面
２          小石
３          雑草
４          下地
５          トンボ
６          整地面
１０        舗装用枠体
１１        枠体補強部
１２        区画
１３        舗装材袋
１４        舗装材
１４ａ      舗装材層
１５        舗装材表面
１６        転圧機
１７        転圧舗装材表面
１８        散水器
１９        散水
２０        転圧舗装材層
２１        舗装層
２２        舗装面
３０        人工芝
３１        基布
３２        芝
３３        継ぎ目
３４        端縁
３５        両面テープ
３６        ジョイントシート
３７        Ｕ字ピン
３７ａ      Ｕ字ピン
Ａ          施工現場の確認工程
Ｂ          下地面の整地工程
Ｃ          整地面の舗装工程
Ｄ          舗装面の人工芝敷設工程
Ｅ          最終チェック工程
【図１】
2019132007.tif 000003
【図２】
2019132007.tif 000004
【図３】
2019132007.tif 000005
【図４】
2019132007.tif 000006
【図５】
2019132007.tif 000007
【図６】
2019132007.tif 000008
【図７】
2019132007.tif 000009
【図８】
2019132007.tif 000010
【図９】
2019132007.tif 000011
【図１０】
2019132007.tif 000012
【図１１】
2019132007.tif 000013
【図１２】
2019132007.tif 000014
【図１３】
2019132007.tif 000015
【図１４】
2019132007.tif 000016
【図１５】
2019132007.tif 000017
【図１６】
2019132007.tif 000018